【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
所定方向に配列された複数の記録素子を有する記録ヘッドと、
記録媒体を前記所定方向と交差する方向に搬送する搬送手段と、
前記搬送手段による前記記録媒体の搬送に応じて順次出力される基準信号を取得する信号取得手段と、
前記信号取得手段が取得した基準信号に応じて、前記複数の記録素子が複数のブロックに分割されて得られる各ブロックを所定の間隔をおいて順番に駆動することにより前記複数の記録素子によって１カラム分の記録をするための時分割駆動を行う時分割駆動手段と、
前記１カラム分の記録のための前記時分割駆動の後に、前記記録ヘッドから前記記録ヘッドの状態を示すヘッド情報を取得する情報取得手段と、
を具え、前記ヘッド情報を用いて前記記録ヘッドの制御を行う記録装置であって、
前記信号取得手段による第１の基準信号の取得と前記第１の基準信号の次の第２の基準信号の取得との間の時間間隔が、前記時分割駆動手段による前記複数の記録素子の駆動と、前記情報取得手段による前記ヘッド情報の取得と、を実行する時間より短い場合、前記信号取得手段による当該短い時間間隔に対応するカラムの少なくとも次のカラムに係る前記第２の基準信号の取得と前記第２の基準信号の次の第３の基準信号の取得との間では、前記ヘッド情報を取得させないように前記情報取得手段を制御する記録制御手段と、
をさらに具えたことを特徴とする記録装置。
【請求項２】
所定方向に配列された複数の記録素子を有する記録ヘッドと、
記録媒体を前記所定方向と交差する方向に搬送する搬送手段と、
前記搬送手段による前記記録媒体の搬送に応じて順次出力される基準信号を取得する信号取得手段と、
前記信号取得手段が取得した基準信号に応じて、前記複数の記録素子が複数のブロックに分割されて得られる各ブロックを所定の間隔をおいて順番に駆動することにより前記複数の記録素子によって１カラム分の記録をするための時分割駆動を行う時分割駆動手段と、
前記１カラム分の記録のための前記時分割駆動の後に、前記記録ヘッドから前記記録ヘッドの状態を示すヘッド情報を取得する情報取得手段と、
を有し、前記ヘッド情報を用いて前記記録ヘッドの制御を行う記録装置であって、
前記信号取得手段による第１の基準信号の取得と前記第１の基準信号の次の第２の基準信号の取得との間の時間間隔が、前記時分割駆動手段による前記複数の記録素子の駆動と、前記情報取得手段による前記ヘッド情報の取得と、を実行する時間より短い場合、前記信号取得手段による当該短い時間間隔に対応するカラムの少なくとも次のカラムに係る前記第２の基準信号の取得と前記第２の基準信号の次の第３の基準信号の取得との間にて取得した前記ヘッド情報を、前記記録ヘッドの制御には用いないように制御する記録制御手段と、
をさらに具えたことを特徴とする記録装置。
【請求項３】
前記記録制御手段は、前記短い時間間隔に対応する少なくとも次のカラムにおいて、前記時分割駆動手段を制御して、前記ブロックごとに時間をおいて駆動する際の、前記ブロックの駆動と次のブロックの駆動との間の時間間隔を、前記短い時間間隔に対応するカラムより短くすることを特徴とする請求項１または２に記載の記録装置。
【請求項４】
前記ヘッド情報は、前記記録ヘッドの温度の情報であることを特徴とする請求項１乃至３のいずれか１項に記載の記録装置。
【請求項５】
前記記録制御手段は、前記ヘッド情報を用いて記録を行う際に、前記複数の記録素子を駆動するために印加する駆動パルスのパルス幅を制御することを特徴とする請求項４に記載の記録装置。
【請求項６】
前記搬送手段はローラであり、
前記記録ヘッドは前記搬送手段が搬送する記録媒体に画像を記録することを特徴とする請求項１乃至５のいずれか１項に記載の記録装置。
【請求項７】
前記ローラの回転を検知する検知手段をさらに具え、
前記信号取得手段は、前記検知手段が検知した前記ローラの回転に応じた基準信号を取得することを特徴とする請求項６に記載の記録装置。
【請求項８】
前記記録ヘッドは、前記搬送手段が搬送する第１の記録媒体である転写体に画像を記録し、前記転写体に記録された画像を第２の記録媒体に転写することにより、前記第２の記録媒体に画像を記録することを特徴とする請求項１乃至５のいずれか１項に記載の記録装置。
【請求項９】
前記転写体は、ドラム状であり、前記交差する方向に回転することを特徴とする請求項８に記載の記録装置。
【請求項１０】
前記記録ヘッドが前記転写体の前記記録ヘッドと対向する位置で記録を行っているときに、搬送されてきた前記第２の記録媒体が前記転写体の前記位置と別の位置で接触して前記第２の記録媒体に画像の転写が行われることを特徴とする請求項８または９に記載の記録装置。
【請求項１１】
前記転写体の回転を検知する検知手段をさらに具え、
前記信号取得手段は、前記検知手段が検知した前記転写体の回転に応じた基準信号を取得することを特徴とする請求項８乃至１０のいずれか１項に記載の記録装置。
【請求項１２】
所定方向に配列された複数の記録素子を有する記録ヘッドを用いて、搬送手段により前記所定方向と交差する方向に搬送される記録媒体に対して記録する記録装置において、前記記録ヘッドの状態を示すヘッド情報に基づいて前記記録ヘッドを制御する制御方法であって、
前記搬送手段による前記記録媒体の搬送に応じて順次出力される基準信号を取得する信号取得工程と、
前記信号取得工程にて取得した基準信号に応じて前記複数の記録素子が複数のブロックに分割されて得られる各ブロックを所定の間隔をおいて順番に駆動することにより前記複数の記録素子によって１カラム分の記録をするための時分割駆動を行う時分割駆動工程と、
前記１カラム分の記録のための前記時分割駆動の後に、前記記録ヘッドから前記ヘッド情報を取得する情報取得工程と、
を有し、
前記情報取得工程では、前記信号取得工程における、第１の基準信号の取得と前記第１の基準信号の次の第２の基準信号の取得と間の時間間隔が、前記時分割駆動工程による前記複数の記録素子の駆動と、前記情報取得工程による前記ヘッド情報の取得と、を実行する時間より短い場合、前記信号取得工程における当該短い時間間隔に対応するカラムの少なくとも次のカラムに係る前記第２の基準信号の取得と前記第２の基準信号の次の第３の基準信号との間では、前記ヘッド情報を取得しないようにする
ことを特徴とする制御方法。
【請求項１３】
所定方向に配列された複数の記録素子を有する記録ヘッドを用いて、搬送手段により前記所定方向と交差する方向に搬送される記録媒体に対して記録する記録装置において、前記記録ヘッドの状態を示すヘッド情報に基づいて前記記録ヘッドを制御する制御方法であって、
前記搬送手段による前記記録媒体の搬送に応じて順次出力される基準信号を取得する信号取得工程と、
前記信号取得工程にて取得した基準信号に応じて前記複数の記録素子が複数のブロックに分割されて得られる各ブロックを所定の間隔をおいて順番に駆動することにより前記複数の記録素子によって１カラム分の記録をするための時分割駆動を行う時分割駆動工程と、
前記１カラム分の記録のための前記時分割駆動の後に前記記録ヘッドからヘッド情報を取得する情報取得工程と、
を有し、
前記信号取得工程における、第１の基準信号の取得と前記第１の基準信号の次の第２の基準信号の取得と間の時間間隔が、前記時分割駆動工程による前記複数の記録素子の駆動と、前記情報取得工程による前記ヘッド情報の取得と、を実行する時間より短い場合、前記情報取得工程において、前記信号取得工程における当該短い時間間隔に対応するカラムの少なくとも次のカラムに係る前記第２の基準信号の取得と前記第２の基準信号の次の第３の基準信号との間にて取得した前記ヘッド情報を、前記記録ヘッドの制御には用いないようにする
ことを特徴とする制御方法。
【手続補正２】
【補正対象書類名】明細書
【補正対象項目名】発明の名称
【補正方法】変更
【補正の内容】
【発明の名称】記録装置および制御方法
【手続補正３】
【補正対象書類名】明細書
【補正対象項目名】０００１
【補正方法】変更
【補正の内容】
【０００１】
本発明は、記録装置および制御方法に関し、詳しくは、記録媒体の搬送速度の変動に応じてドットの記録タイミングを調整する技術に関するものである。
【手続補正４】
【補正対象書類名】明細書
【補正対象項目名】０００６
【補正方法】変更
【補正の内容】
【０００６】
本発明は、上述した問題を解決するものであり、記録ヘッドの時分割駆動において、記録媒体の搬送速度の変動によって時分割駆動の時間間隔を規定する、基準信号と次の基準信号の間隔が短くなっても、記録抜けなどの画質低下を防止できる記録装置および制御方法を提供することを目的とする。
【手続補正５】
【補正対象書類名】明細書
【補正対象項目名】０００７
【補正方法】変更
【補正の内容】
【０００７】
上記目的を達成するために本発明は、所定方向に配列された複数の記録素子を有する記録ヘッドと、記録媒体を前記所定方向と交差する方向に搬送する搬送手段と、前記搬送手段による前記記録媒体の搬送に応じて順次出力される基準信号を取得する信号取得手段と、前記信号取得手段が取得した基準信号に応じて、前記複数の記録素子が複数のブロックに分割されて得られる各ブロックを所定の間隔をおいて順番に駆動することにより前記複数の記録素子によって１カラム分の記録をするための時分割駆動を行う時分割駆動手段と、前記１カラム分の記録のための前記時分割駆動の後に、前記記録ヘッドから前記記録ヘッドの状態を示すヘッド情報を取得する情報取得手段と、を具え、前記ヘッド情報を用いて前記記録ヘッドの制御を行う記録装置であって、前記信号取得手段による第１の基準信号の取得と前記第１の基準信号の次の第２の基準信号の取得との間の時間間隔が、前記時分割駆動手段による前記複数の記録素子の駆動と、前記情報取得手段による前記ヘッド情報の取得と、を実行する時間より短い場合、前記信号取得手段による当該短い時間間隔に対応するカラムの少なくとも次のカラムに係る前記第２の基準信号の取得と前記第２の基準信号の次の第３の基準信号の取得との間では、前記ヘッド情報を取得させないように前記情報取得手段を制御する記録制御手段と、をさらに具えたことを特徴とする。